(57)【要約】      （修正有）【課題】新たに分電盤等を増設する際に、引き出された配線による筐体内の占有スペースを削減することができるプラグイン端子台及びプラグイン端子台を備えた分電盤を提供する。【解決手段】分電盤内に設けられた母線バーに接続されるプラグ端子と、電線が接続される電線接続端子４とを備えたプラグイン端子台１であって、電線接続端子４は、電線を母線バーに対して垂直方向に引き出し可能とした。また、電線接続端子４は、プラグ端子に対して反対側の端部に設けられていることが好ましい。【選択図】図１
2018018685.tif 000002
【特許請求の範囲】
【請求項１】
分電盤内に設けられた母線バーに接続されるプラグ端子と、
電線が接続される電線接続端子とを備えたプラグイン端子台であって、
前記電線接続端子は、前記電線を母線バーに対して垂直方向に引き出し可能としたことを特徴とするプラグイン端子台。
【請求項２】
前記電線接続端子は、プラグ端子に対して反対側の端部に設けられていることを特徴とする請求項１記載のプラグイン端子台。
【請求項３】
前記電線接続端子を複数備えるものとし、これら電線接続端子を前記母線バーの長手方向と平行に配置したことを特徴とする請求項１または２記載のプラグイン端子台。
【請求項４】
プラグイン端子台本体の左右幅を、分電盤内に設けられた分岐ブレーカの左右幅の整数倍としたことを特徴とする請求項１乃至３の何れかに記載のプラグイン端子台。
【請求項５】
請求項１乃至４の何れかに記載のプラグイン端子台を備えたことを特徴とする分電盤。
【発明の詳細な説明】
【技術分野】
【０００１】
本発明は、プラグイン端子台及びこのプラグイン端子台を備えた分電盤に関するものである。
【背景技術】
【０００２】
図６に示すように、分電盤１０内に設けられる主幹ブレーカ１１には、紙面奥行方向（前後方向）に堆積する３本の母線バー１２が接続されており、これら母線バー３を挟んだ両側には複数の分岐ブレーカ１３が接続されている。ここで、新たに分電盤や分岐ブレーカ等を増設する必要が生じた場合には、図６のように母線バー１２の側方に送り端子２０を設け、この送り端子から増設する分電盤等に配線を行うものとしている。ところが、このような送り端子２０を設けた場合には、送り端子２０自体の設置スペースに加え、送り端子２０から引き出される電線１４の配線スペースも必要となっていた。
【０００３】
そこで分電盤等の増設時には、一部の分岐ブレーカを取り外し、この箇所に、先端にプラグ端子を備えるとともに負荷側に電線を引き出すための電線接続端子を備えたプラグイン式の端子台（特許文献１）を設置して、送り端子の設置スペースを不要とする方法が考えられる。しかしながら、特許文献１に記載の端子台を用いた場合には、電線をプラグイン端子台本体の側方から引き出す必要があるため、その分の配線スペースが必要となり、送り端子２０を設ける場合と同様に、配線スペースが筐体内を大きく占有してしまう点が問題とされていた。
【先行技術文献】
【特許文献】
【０００４】
【特許文献１】特開平１１−２１５６２０号公報
【発明の概要】
【発明が解決しようとする課題】
【０００５】
本発明の目的は前記した従来の問題点を解決し、新たに分電盤等を増設する際に、引き出された配線による筐体内の占有スペースを削減することができるプラグイン端子台及びプラグイン端子台を備えた分電盤を提供することである。
【課題を解決するための手段】
【０００６】
上記課題を解決するためになされた本発明のプラグイン端子台は、分電盤内に設けられた母線バーに接続されるプラグ端子と、電線が接続される電線接続端子とを備えたプラグイン端子台であって、前記電線接続端子は、前記電線を母線バーに対して垂直方向に引き出し可能としたことを特徴とするものである。
【０００７】
請求項２記載の発明は、請求項１記載のプラグイン端子台において、前記電線接続端子は、プラグ端子に対して反対側の端部に設けられていることを特徴とするものである。
【０００８】
請求項３記載の発明は、請求項１または２記載のプラグイン端子台において、前記電線接続端子を複数備えるものとし、これら電線接続端子を前記母線バーの長手方向と平行に配置したことを特徴とするものである。
【０００９】
請求項４記載の発明は、請求項１乃至３の何れかに記載のプラグイン端子台において、プラグイン端子台本体の左右幅を、分電盤内に設けられた分岐ブレーカの左右幅の整数倍としたことを特徴とするものである。
【００１０】
請求項５記載の発明である分電盤は、請求項１乃至４の何れかに記載のプラグイン端子台を備えたことを特徴とするものである。
【発明の効果】
【００１１】
本発明に係るプラグイン端子台は、プラグ端子と電線接続端子とを備え、この電線接続端子は、電線を母線バーに対して垂直方向に引き出し可能としている。これにより、従来のような送り端子の設置スペースを確保する必要がなくなり、さらに電線を母線バーに対して垂直方向に引き出すことができるため、従来電線を母線バーに対して平行に、プラグイン端子台本体の側方から引き出すことで発生していた配線スペースも不要となる。したがって、新たに分電盤等を増設する際に、引き出された電線による筐体内の占有スペースを削減することができる。
【図面の簡単な説明】
【００１２】
【図１】本発明のプラグイン端子台を示す斜視図である。
【図２】本発明のプラグイン端子台を異なる角度からみた斜視図である。
【図３】既設の分電盤及び増設される分電盤を示す正面図である。
【図４】既設の分電盤の背面構造を示す図である。
【図５】電線接続端子の配置パターンを示す図である。
【図６】従来の分電盤を示す正面図である。
【発明を実施するための形態】
【００１３】
以下に本発明の好ましい実施形態を示す。なお、本明細書において上下、左右、前後とは図１に示す方向を指すものである。
図１及び図２は、本発明のプラグイン端子台１を示す斜視図であり、図３は、このプラグイン端子台１を備えた分電盤１０ａ及び新たに増設される分電盤１０ｂを示す正面図である。なお、図３において、１１は主幹ブレーカ、１２は主幹ブレーカ１１に接続される前後方向に堆積する３本の母線バー、１３は母線バー１２に接続される複数の分岐ブレーカである。
【００１４】
図１及び図２に示すプラグイン端子台１は、上下方向に細長な直方体状に形成されたプラグイン端子台本体２の一端に、図３中の母線バー１２へそれぞれ接続される複数のプラグ端子３を各相に備え、さらにプラグイン端子台本体２の他端に、図３中の電線１４が接続される複数の電線接続端子４を備えたものである。また、本実施形態では各電線接続端子４がプラグ端子３に対して反対側の端部に設けられているが、プラグイン端子台本体２の中央寄りに位置していても差し支えない。なお、電線接続端子４はねじ止めにより電線１４を接続可能としているが、速結端子等、ねじを使用せずに電線１４を接続しても良い。以上の構成により、プラグ端子３が電源側、電線接続端子４が負荷側となる。また、プラグイン端子台１のプラグイン端子台本体２は、左右方向に細長な直方体状や、または立方体状に形成されたものでも差し支えない。
【００１５】
プラグ端子３と電線接続端子４とはプラグイン端子台本体２の内部で電気的に接続されており、両端子間で、母線バー１２のＮ相―Ｌ１相間の電圧、母線バー１２のＮ相―Ｌ２相間の電圧、及びＬ１―Ｌ２相間の電圧がそれぞれ印加される。また、両端子間の接続には、より線等を用いることが好ましく、このように柔軟性に優れる部材を用いることで、母線バー１２に生じる高さや幅等の僅かな誤差を吸収することができるものとなる。また、両端子間の関係を視認し易くするために、電源接続端子４には母線バー１２の各相（Ｎ相、Ｌ１相、Ｌ２相）の表示を設けることがより好ましい。
【００１６】
図２のように、プラグイン端子台本体２のプラグ端子側側面には左右方向に延びる３本の溝部５が形成されており、プラグイン端子台１の設置時には、この溝部５が母線バー１２に嵌合することとなる。ここで、プラグ端子３は、各溝部５に前後方向に縦一列となるようそれぞれ配設されているが、プラグ端子側側面の対角線上に配置しても差し支えない。なお、各相のプラグ端子３は、高い電流容量に耐えるために複数個配設するものとしても良く、また幅広形状のものであっても良い。
【００１７】
ここで図１のように、３つの電線接続端子４を、プラグイン端子台本体２の幅方向である左右方向に並べて配置するものとし、これにより、各電線接続端子４から電線１４を母線バー１２に対して垂直方向に引き出し可能としている。したがって、図３のように新たに分電盤１０ｂを増設する際には、一部の分岐ブレーカ１３を取り外し、この箇所に本発明のプラグイン端子台１を組み込むこととなるが、ここで各電源接続端子４からは電線１４が母線バー１２に対して垂直方向、即ち下方に引き出される。このため、従来のような送り端子の設置スペースを確保する必要がなくなり、さらに電線１４をプラグイン端子台本体２の下方に引き出すことができるため、従来電線を母線バー１２に対して平行に、プラグイン端子台本体の側方から引き出すことで発生していた配線スペースも不要となる。したがって、新たに分電盤１０ｂ等を増設する際に、プラグイン端子台１より引き出された電線１４による筐体内の占有スペースを削減することができる。
【００１８】
また、既設の分電盤１０ａの背面側には、図４のように分岐ブレーカ１３から出線した電線１４を挿通させる配線孔１５が複数形成されている。したがって、本発明のようにプラグイン端子台１からの電線１４の出線方向を分岐ブレーカ１３からの出線方向と同一とすることで、分電盤１０ｂの増設時にこの配線孔１５を利用して各負荷への配線を行うことができることとなり、配線スペースを削減することができる。
【００１９】
さらに図４のように、分電盤１０ａの背面側には分岐ブレーカ１３を取付けるための取付台１６が設けられている。この取付台１６には、複数の固定孔１７が形成されており、分岐ブレーカ１３に設けられた図示しない固定部がこの固定孔１７に係合することにより、分岐ブレーカ１３が固定される構造としている。ここで図１に示すように、プラグイン端子台１には固定孔１７に係合可能な固定部６を設けるものとして、分岐ブレーカ１３の固定構造と同様の構造によりプラグイン端子台１を取付台１６に固定できるものとすることが好ましい。
【００２０】
また、本実施形態では、プラグイン端子台本体２の左右幅を分電盤１０ａ内に設けられた分岐ブレーカ１３の左右幅の整数倍としている。これにより、分電盤１０ｂの増設時にプラグイン端子台１と入れ替える分岐ブレーカ１３の数を最小限として、分電盤１０ａ内の空間を無駄にすることがないものとしている。さらに、プラグイン端子台本体２の上下方向の長さ、即ち母線バー１２の長手方向と直交する方向の長さは、分岐ブレーカ１３の上下方向の長さと略同一としても良く、分岐ブレーカ１３とプラグイン端子台１との負荷側端面が同一直線上に配置されるものとすることができる。これにより、分岐ブレーカ１３の配線に合わせて整然とプラグイン端子台１の配線を行うことができる。
【００２１】
また、本実施形態では、図５（ａ）のように、３つの電線接続端子４を母線バー１２の長手方向と平行に配置して、これら電線接続端子４の高さが略同一となるよう構成しているが、その他にも、各電線接続端子４を斜めに配置したり（図５（ｂ））、逆Ｖ字状（図５（ｃ））やＶ字状（図５（ｄ））に配置しても差し支えない。また、プラグイン端子台本体２の左右幅を分岐ブレーカ１３の左右幅と略同一とし、３つの電線接続端子４を上下方向に階段状となるよう、上段、中段、下段に配置しても良い。
【００２２】
本実施形態では、プラグイン端子台本体２内での両端子の接続により線を用いるものとしているが、その他に板状の導体を採用しても差し支えない。この場合、中央のプラグ端子３の高さを電線接続端子４の端子座の高さと略同一とし、前後の他のプラグ端子３との離距離を略同一としておくことが好ましい。これにより、中央のプラグ端子３へは直線状の導体を用いて接続し、また前後の他のプラグ端子３へはクランク状に折り曲げた導体を兼用して接続することができ、製造コストを削減することができる。
【００２３】
また、本発明のプラグイン端子台１の内部には、ＣＴや感震センサ等の計測機器を備えるものとしても差し支えない。
【符号の説明】
【００２４】
１  プラグイン端子台
２  プラグイン端子台本体
３  プラグ端子
４  電線接続端子
５  溝部
６  固定部
１０  分電盤
１１  主幹ブレーカ
１２  母線バー
１３  分岐ブレーカ
１４  電線
１５  配線孔
１６  取付台
１７  固定孔
２０  送り端子
【図１】
2018018685.tif 000003
【図２】
2018018685.tif 000004
【図３】
2018018685.tif 000005
【図４】
2018018685.tif 000006
【図５】
2018018685.tif 000007
【図６】
2018018685.tif 000008